(57)【要約】    【課題】レッグホールの締め付けがなく着心地の良い安価な下着の提供。    【解決手段】この下着１０は、下着本体１１と、下着本体１１に設けられたウエストバンド１２と、レッグホール１３の縁部に取り付けられた縁布１４とを備えている。下着本体１１は単一の身生地１８からなる。この身生地１８は、後身頃１６、マチ部１７及び前身頃１５を一体的に構成する。後身頃１６は、前側に回り込み、前身頃１５に縫い付けられている。後身頃１６が前側に回り込むことにより、レッグホール１３が形成されている。下着本体１１の上部は、高弾性生地からなる。【選択図】図１
2007204883.tif 000002
【特許請求の範囲】
【請求項１】
着用者の腹部を被う腹当部及び当該腹当部に連続して着用者の腰部を被う腰当部を有する筒状に形成された上部本体部と、
基端が上記腰当部に一体的に連続し、着用者の臀部及び股部を被って上記腹当部側へ回り込むように湾曲形成され、且つその先端が上記腹当部の上縁部に沿って固定されている下部本体部とを備えた下着。
【請求項２】
上記上部本体部は、上記下部本体部よりも高弾性生地からなる請求項１に記載の下着。
【請求項３】
上記下部本体部の基端は、上記腹当部の上縁部の外側に縫い付けられている請求項１又は請求項２に記載の下着。
【請求項４】
上記下部本体部の基端は、上記腹当部の上縁部の内側に縫い付けられている請求項１又は請求項２に記載の下着。
【請求項５】
請求項１に記載の下着を製造する方法であって、
所定の長手方向寸法に裁断された筒状の身生地の一方の側縁から他方の側縁側へ第１の軌跡曲線を形成しながら所定部位まで切り込まれ、さらに当該所定部位から第２の軌跡曲線を形成しながら当該身生地の下縁まで切り込まれる裁断工程と、
上記身生地の下縁が当該身生地の一方の側縁側の上縁部に沿って縫い付けられる縫製工程とを含む下着製造方法。
【発明の詳細な説明】
【技術分野】
【０００１】
本発明は、下着、特に女性用の下着の構造及びその製法に関するものである。
【背景技術】
【０００２】
従来から、肌に直接接触する衣類として、さまざまな下着が提供されている（例えば、特許文献１〜特許分煙３参照）。特に女性用の下着では、マチ部が吸水処理されたものや、伸縮性に富む生地から構成されることによって体型補正機能を備えたものもある。
【０００３】
【特許文献１】特公昭５３−２１６６７号公報
【特許文献２】特開２００１−１００１公報
【発明の開示】
【発明が解決しようとする課題】
【０００４】
下着の着用者の体型はさまざまである。そのため、一般に既製品の下着では、着用者の体型に合わせてウエストサイズ及びヒップサイズが異なるものが種々用意されている。ところが、着用者に合うレッグホールのサイズは、ウエストサイズやヒップサイズに比べてきわめて多彩であり、特に、レッグホールのサイズが小さすぎる場合には、着用者の脚が締め付けられ、着用者は長時間の着用に苦痛を覚えるという問題がある。この問題は、体型補正機能を備えた下着ではさらに顕著である。
【０００５】
また、レッグホールは２箇所に設けられなければならず、そのため、従来の下着では、２回のレッグホールの加工処理が必要であり、製造コストが上昇していた。
【０００６】
そこで、本発明の目的は、レッグホールの締め付けがなく着心地の良い安価な下着を提供すること、及びその製造方法を提供することである。
【課題を解決するための手段】
【０００７】
(1) 上記目的が達成されるため、本発明に係る下着は、着用者の腹部を被う腹当部及び当該腹当部に連続して着用者の腰部を被う腰当部を有する筒状に形成された上部本体部と、基端が上記腰当部に一体的に連続し、着用者の臀部及び股部を被って上記腹当部側へ回り込むように湾曲形成され、且つその先端が上記腹当部の上縁部に沿って固定されている下部本体部とを備えている。
【０００８】
この下着は、単一の生地によって構成されており、上部本体部の腰当部及び下部本体部の基端を含む一定領域の部分（着用者の臀部を被う部分）によって後見頃が形成され、上部本体部の腹当部及び下部本体部の先端を含む一定領域によって、前身頃及びマチ部が形成されている。そして、上記下部本体部が後側から前側へ湾曲され、且つその先端が上記腹当部に固定された結果、一対の環状のレッグホールが同時に構成される。この場合、レッグホールは、上記腰当部から腹当部の上縁まで大きく切り欠かれた状態で形成される。また、一対のレッグホールの縁部は単一の曲線状に形成されるから、一対のレッグホールの加工処理が単一の作業で簡単に行われる。さらに、着用者の腹部は、上部本体部の腹当部及び下部本体部の先端を含む一定領域の部分によって被われるから、腹部の保温効果が高い。
【０００９】
(2) 上記上部本体部は、上記下部本体部よりも高弾性生地からなるのが好ましい。
【００１０】
これにより、着用者の腹部及び腰部を締め付ける力が大きくなる。したがって、当該下着の体型補正機能が向上する。ここで、「高弾性生地」とは、伸縮弾性係数が大きい生地を意味する。
【００１１】
(3) 上記下部本体部の基端は、上記腹当部の上縁部の外側に縫い付けられているのが好ましい。
【００１２】
これにより、下部本体部と上部本体部とを縫い付ける作業が簡単になる。
【００１３】
(4) また、上記下部本体部の基端は、上記腹当部の上縁部の内側に縫い付けられていてもよい。
【００１４】
この場合、腹部の保温効果がさらに向上するという利点がある。
【００１５】
(5) 上記目的が達成されるため、本発明に係る下着製造方法は、前述の本発明に係る下着を製造する方法であって、所定の長手方向寸法に裁断された筒状の身生地の一方の側縁から他方の側縁側へ第１の軌跡曲線を形成しながら所定部位まで切り込まれ、さらに当該所定部位から第２の軌跡曲線を形成しながら当該身生地の下縁まで切り込まれる裁断工程と、上記身生地の下縁が当該身生地の一方の側縁側の上縁部に沿って縫い付けられる縫製工程とを含んでいる。
【００１６】
裁断工程により筒状の身生地が裁断されることにより、当該身生地は、環状に形成された環状部と、当該環状部の後側に連続して長手方向に延びる延設部とが構成される。この環状部の長手方向寸法は、当該身生地の上縁から第１の軌跡曲線と一方の側縁との交点までの距離と等しい。そして、縫製工程により、延設部の端部、すなわち身生地の下縁が上記環状部の前側、すなわち上記身生地の一方の側縁側の上縁部に沿って縫い付けられる。これにより、この身生地は、後身頃及び前身頃を形成し、同時にレッグホールも構成される。
【００１７】
この場合、上記第１及び第２の軌跡曲線の長さが適当に設定されることにより、レッグホールは、大きく切り欠かれた状態で形成される。また、一対のレッグホールの縁部は単一の曲線状に形成されるから、一対のレッグホールの加工処理が単一の作業で簡単に行われる。さらに、着用者の腹部は、上記環状部の前側及び上記延設部の端部よって被われるから、腹部の保温効果が高い。
【発明の効果】
【００１８】
本発明に係る下着では、単一の生地が折り返されることにより、前身頃及び後見頃が形成構成され、且つ大きく切り欠かれた一対のレッグホールが同時に構成されるので、着用者は、体型にかかわらず両脚を容易にレッグホールに挿入することができる。しかも、レッグホールの加工処理が簡単であるから、下着の製造コストが削減される。
【発明を実施するための最良の形態】
【００１９】
以下、適宜図面が参照されつつ、好ましい実施形態に基づいて本発明が詳細に説明される。
【００２０】
図１は、本発明の一実施形態に係る下着の正面図であり、図２は背面図である。
【００２１】
この下着１０は、特に女性用として構成されている。ただし、本発明は、男性用の下着として実現されていてもよいことは勿論である。この下着１０は、下着本体１１と、下着本体１１に設けられたウエストバンド１２と、レッグホール１３の縁部に取り付けられた縁布１４とを備えている。本実施形態に係る下着１０の特徴とするところは、下着本体１１が単一の身生地から構成されている点であり、この身生地が後述の要領で縫製されることによって、この下着１０の着用者は、その体型にかかわらずレッグホール１３に両足を容易に挿通することができるようになっている。また、上記身生地が後述の要領で縫製されることによって、下着１０が安価に製造され得るようになっている。
【００２２】
上記下着本体１１は、前身頃１５、後身頃１６及びこれらを連続するマチ部１７とを有する。前述のように、下着本体１１は、単一の身生地からなり、したがって、上記前身頃１５、後身頃１６及びマチ部１７は、一体的に形成されている。
【００２３】
図３ないし図５は、この下着本体１１の製造工程を模式的に示す図である。図３は、身生地取出し工程を示す図であり、図４は、裁断工程を示す図であり、図５は、縫製工程を示す図である。
【００２４】
図３が示すように、下着本体１１を構成する身生地１８は、材料布１９が切断されることによって取り出される。この材料布１９は、既知の編み機によって予め長尺の円筒状に形成されている。そして、図示されていない裁断装置によって矢印２０、２１の位置で径方向に切断される。なお、本実施形態では、材料布１９は、小径部２２及び大径部２３を有し、これらが長手方向に連続している。小径部２２を構成する生地は、大径部２３を構成する生地よりも高弾性を呈する。したがって、小径部２２を所定寸法だけ拡径させるために必要な力は、大径部２３を所定寸法だけ拡径させるために必要な力よりも大きい。小径部２２が高弾性生地からなることによる作用効果については後述される。
【００２５】
図４が示すように、上記材料布１９が切断されることによって、円筒状の身生地１８が構成される。この身生地１８の小径部２２の長手方向寸法Ｌ１は、例えば３４０ｍｍに設定され、また、大径部２３の長手方向寸法Ｌ２は、例えば６００ｍｍに設定される。ただし、寸法Ｌ１は、２８０ｍｍ〜４００ｍｍ程度の範囲で、また、寸法Ｌ２は、４００ｍｍ〜７００ｍｍ程度の範囲で適宜設定され得る。さらに、上記小径部２２の外径寸法ｄ１は、２３０ｍｍに設定され、また、大径部２３の外径寸法ｄ２は、２８０ｍｍに設定される。ただし、寸法ｄ１は、１８０ｍｍ〜２８０ｍｍ程度の範囲で、また、寸法ｄ２は、２００ｍｍ〜３５０ｍｍの範囲で適宜設定され得る。
【００２６】
上記寸法に裁断された身生地１８は、同図において二点鎖線で示された軌跡曲線２４に沿って切断される（裁断工程）。すなわち、身生地１８は、図示されていないカッターによって、その側縁２５（一方の側縁）から切り込まれ、当該側縁２５と反対側の側縁２６（他方の側縁）に向かって切断される。このとき、当該カッターは、上記軌跡曲線２４の上側部分２７（第１の軌跡曲線）に沿って身生地１８を切断する。そして、このカッターは、当該軌跡曲線２４の上側部分２７の終端部２８（身生地の所定部位）に達すると、当該終端部２８に連続して下側に向かって当該身生地１８を切断する。このとき、当該カッターは、上記軌跡曲線２４の下側部分２９（第２の軌跡曲線）に沿って身生地１８を切断し、当該身生地１８の下縁３０に達するまで切り込む。この裁断工程によって、身生地１８は、環状に形成された上部本体部３１（環状部）と、当該上部本体部３１の後側に連続して長手方向に延びる下部本体部３２（延設部）とが構成される（図５参照）。この上部本体部３１の長手方向寸法Ｌ１は、当該身生地１８の上縁から上記上記軌跡曲線２４の切込部３８までの距離と等しい。
【００２７】
このように身生地１８が裁断されることによって、図５が示すような立体的な下着本体１１が形成される。下着本体１１は、換言すれば、上部本体部３１と下部本体部３２とを備え、上記小径部２２（図４参照）が上部本体部３１を構成し、上記大径部２３（図４参照）が下部本体部３２を構成している。そして、この下部本体部３２の先端３０（すなわち、身生地１８の下縁３０）が矢印３３に沿って移動されることによって、下部本体部３２が上記側縁２６側から上記側縁２５側へ回り込み、さらに、下部本体部３２の先端３０が上部本体部３１の上縁部３４（すなわち、身生地１８の側縁２５側の上縁部３４）に沿って当接され、縫い付けられる（縫製工程）。
【００２８】
このような工程を経て、上記レッグホール１３（図１参照）が設けられた衣類としての下着本体１１が構成される。この下着１０の着用者は、上記レッグホール１３に両脚を挿通することによって、当該下着１０を着用することができる。この下着本体１１の上部本体部３１は筒状に形成されることになるから、図１及び図５が示すように、上部本体部３１の前側部分が着用者の腹を被う腹当部３５を構成し、上記前身頃１５を兼ねる。また、図２及び図５が示すように、上部本体部３１の後側部分が着用者の腰を被う腰当部３６を構成し、上記後身頃１６の一部を兼ねる。一方、下部本体部３２の上縁３７（基端）は、上部本体部３１と滑らかに連続し、下部本体部３２が上部本体部３１と一体的に形成されている。この下部本体部３２は、湾曲されて着用者の腹側へ回り込むことによって、当該着用者の臀部及び股部を被う。すなわち、下部本体部３２は、上記後身頃１６の一部及び上記マチ部１７を兼ねる。
【００２９】
図１及び図５が示すように、本実施形態では、下部本体部３２の先端３０は、上記腹当部３５の上縁部３４（すなわち、上記上部本体部３１の上縁部３４）に縫い付けられている。このため、下着本体１１の前身頃１５は、生地が二重に重ねられた状態となっている。そして、上記ウエストバンド１２は、上記上部本体部３１の上端周縁部に縫い付けられている。本実施形態では、このウエストバンド１２は、ゴムバンドからなり、上記上部本体部３１及び上記下部本体部３２の下縁３０と共に縫い付けられている。
【００３０】
また、レッグホール１３の縁部には上記縁布１４が縫い付けられているが、この縁布１４は、身生地１８が立体的に裁断された状態（図５参照）で当該生地１８に縫い付けられる。すなわち、縁布１４は、上記軌跡曲線２７、２８に沿って取り付けられる。しかも、図５が示す状態の身生地１８では、軌跡曲線２７、２８は、連続しており、単一の曲線である。したがって、縁布１４を身生地１８に縫い付ける作業が簡単である。この縁布１４が縫い付けられた状態で、前述のように身生地１８の下縁３０が上部本体部３１の上縁部３４に縫い付けられる。
【００３１】
本実施形態に係る下着１０では、下着本体１１が前述のように単一の身生地１８によって構成されており、上記下部本体部３２が後側から前側へ湾曲され、且つその先端３０が上記腹当部３５に縫い付けられた結果、一対のレッグホール１３が同時に構成される。この場合、レッグホール１３は、図１が示すように、上記腰当部３６から腹当部３５の上縁まで大きく切り欠かれた状態で形成されるから、着用者は、その体型にかかわらず両脚を容易にレッグホール１３に挿入することができ、したがって、当該下着１０は、着用者にとって着心地の良いものとなる。また、一対のレッグホール１３は、上記単一の曲線によって形成されるから、上記縁布１４の取り付けその他のレッグホール１３の加工処理が単一の作業で簡単に行われる。したがって、当該下着１０の製造工程が簡略化され、コスト安価に製造され得るという利点がある。加えて、この下着１０の着用者の腹部は、上記腹当部３５及び上記下部本体部３２の一部によって二重に被われるから、腹部の保温効果が高いという利点もある。
【００３２】
前述のように、本実施形態では、上記上部本体部３１は、上記下部本体部３２よりも高弾性の生地からなる。したがって、下着１０の体型補正機能が向上する。すなわち、下着１０の着用者の腹部及び腰部は適度に締め付けられ、歩行時の姿勢が矯正され得る。また、上部本体部３１が高弾性生地からなるので、下着１０のシルエットは、図１が示すように着用者の臀部を広く被うことができるように形成される。すなわち、下着１０は、着用者の臀部を確実に支持し、腰部及び腹部を適度に締め付ける。これにより、いわゆるヒップアップ効果も奏される。
【００３３】
本実施形態では、図１が示すように、上記下部本体部３２は、上記腹当部３５の外側に縫い付けられている。これにより、下部本体部３２と上部本体部３１とを縫い付ける作業が一層簡単になり、下着１０の一層のコストダウンが可能になる。
【００３４】
次に、本実施形態の変形例について説明される。
【００３５】
図６は、本実施形態の変形例に係る下着４０の正面図である。
【００３６】
本変形例に係る下着４０が上記実施形態に係る下着１０と異なるところは、上記下着１０では、図１及び図５が示すように、下部本体部３２の先端３０が腹当部３５の外側に縫い付けられていたのに対し、本変形例に係る下着４０では、下部本体部３２の先端３０が腹当部３５の内側に縫い付けられている点である。なお、その他の構成については、上記下着１０と同様である。この変形例に係る下着４０では、着用者の腹部の保温効果がさらに向上するという利点がある。
【００３７】
次に、本実施形態の他の変形例について説明される。
【００３８】
図７は、本実施形態の他の変形例に係る下着の身生地５１の正面図である。
【００３９】
本変形例に係る下着の製造工程が上記実施形態に係る下着１０の製造工程と異なるところは、上記下着１０は、予め筒状に形成された身生地１８が軌跡曲線２４に沿って切断された後（図４参照）、当該身生地１８の下縁３０が上部本体部３１の上縁部３４（図５参照）に沿って縫い付けられるのに対し、本変形例に係る下着は、下記の３つの工程を経て製造されるようになっている点である。
【００４０】
すなわち、第１工程として、図７が示すように、シート状の身生地５１が所定の裁断線５２、５３に沿って切断される。そして、第２工程として、このように裁断された身生地５１の両側縁５４、５５が対向され、縫い付けられる。これにより、身生地５１の上部は筒状に形成され、当該身生地５１は、上記実施形態に係る下着本体１１（図５参照）と同様の形状に形成される。さらに、第３工程として、この身生地５１の下部５７が折り返され、当該身生地５１の下縁５６が上記筒状に形成された身生地５１の上縁部５８に沿って縫い付けられる。
【００４１】
本変形例においても、身生地５１は、上記各工程を経て上記実施形態に係る下着本体１１と同様の下着本体が構成される。そして、この下着本体に上記ウエストバンド１２及び縁布１４が取り付けられ、製品としての下着が完成する。
【産業上の利用可能性】
【００４２】
本発明は、下着に適用され得る。
【図面の簡単な説明】
【００４３】
【図１】図１は、本発明の一実施形態に係る下着の正面図である。
【図２】図２は、本発明の一実施形態に係る下着の背面図である。
【図３】図３は、本発明の一実施形態に係る下着本体の製造工程の一部を模式的に示す図であって、身生地が取り出される工程が示されている。
【図４】図４は、本発明の一実施形態に係る下着本体の製造工程の一部を模式的に示す図であって、身生地が裁断される工程が示されている。
【図５】図５は、本発明の一実施形態に係る下着本体の製造工程の一部を模式的に示す図であって、身生地が縫製される工程が示されている。
【図６】図６は、本実施形態の変形例に係る下着の正面図である。
【図７】図７は、本実施形態の他の変形例に係る下着の身生地の正面図である。
【符号の説明】
【００４４】
１０・・・下着
１１・・・下着本体
１３・・・レッグホール
１４・・・縁布
１５・・・前身頃
１６・・・後身頃
１７・・・マチ部
１８・・・身生地
２２・・・小径部
２３・・・大径部
２４・・・軌跡曲線
２５・・・側縁
２６・・・側縁
２７・・・軌跡曲線の上側部分
２８・・・終端部
２９・・・軌跡曲線の下側部分
３０・・・身生地の下縁
３１・・・上部本体部
３２・・・下部本体部
３４・・・上縁部
３５・・・腹当部
３６・・・腰当部
３７・・・上縁
３８・・・切込部
４０・・・下着
５０・・・下着
５１・・・身生地
５２・・・裁断線
５３・・・裁断線
【図１】
2007204883.tif 000003
【図２】
2007204883.tif 000004
【図３】
2007204883.tif 000005
【図４】
2007204883.tif 000006
【図５】
2007204883.tif 000007
【図６】
2007204883.tif 000008
【図７】
2007204883.tif 000009